(57)【要約】【課題】貨物の性状によらずに最適な運転が可能な水平スクリュー式サイロの運転方法を提供する。【解決手段】本発明は、貨物倉と、貨物倉の中心に固定配置されたセンターコラムと、貨物倉の内部に配置されて貨物倉の中心軸を軸として旋回駆動され、先端が壁面側に延びる旋回フレームと旋回フレームに吊下げワイヤで吊り下げられて旋回フレームの旋回動作に従動して旋回移動すると共に、ワイヤでセンターコラムのガイドロッドに沿って上下方向に移動し、貨物を貨物倉の中心部と壁面との間で水平方向に搬送して散布又は集荷を行う水平搬送装置を備え、水平搬送装置によって集荷された貨物を排出する運転方法において、貨物の搬送運転前に、水平搬送装置の負荷を検出する工程と、水平搬送装置の負荷の測定値と、予め定めた負荷の上限値を比較して、測定値が上限値以上のときに水平搬送装置を上昇させる制御を行う工程と、を有することを特徴とする。【選択図】    図１
2019156633.tif 000002
【特許請求の範囲】
【請求項１】
貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロの運転方法において、
前記貨物の搬送運転前に、前記水平搬送装置の負荷を検出する工程と、
前記水平搬送装置の負荷の測定値と、予め定めた前記水平搬送装置の負荷の上限値を比較して、前記測定値が前記上限値以上のときに前記水平搬送装置を上昇させる制御を行う工程と、
を有することを特徴とする水平スクリュー式サイロの運転方法。
【請求項２】
前記負荷の測定値は、前記水平搬送装置の水平スクリューに設けたトルクセンサにより測定する前記水平スクリューを回転させたときのトルクであることを特徴とする請求項１に記載の水平スクリュー式サイロの運転方法。
【請求項３】
前記負荷の測定値は、前記水平搬送装置のスクリューフレーム部に取り付けた回転トルクメータにより測定する前記回転トルクメータの圧子を一定速度でねじ込んだ時のトルクの電流値であることを特徴とする請求項１又は２に記載の水平スクリュー式サイロの運転方法。
【請求項４】
前記負荷の測定値は、前記水平搬送装置のスクリューフレーム部と前記水平スクリューの間に設けたロードセルにより測定する前記水平スクリューを前記貨物に差し込んだときの荷重値であることを特徴とする請求項１ないし３のいずれか１に記載の水平スクリュー式サイロの運転方法。
【発明の詳細な説明】
【技術分野】
【０００１】
本発明は、粉粒体、フレーク、塊状又はペレット状のものや、高水分含有物等の貨物を筒形構造物内で貯蔵する水平スクリュー式サイロの運転方法に関する。
【背景技術】
【０００２】
粉粒体、フレーク、塊状又はペレット状のものや、高水分含有物等の貨物を積み付け効率良く、かつ荷役効率高く積載する水平スクリュー式サイロがある。この水平スクリュー式サイロは、陸上や船などに設置され、円筒形の貨物倉に様々な形状と物性をもつ貨物をばら積み状態で積載することができる。
【０００３】
図９は水平スクリュー式サイロの断面図である。図示のように水平スクリュー式サイロ１は、筒形の例えば円筒形の貨物倉１２を備える。貨物倉１２の内部の中心部には、垂直方向に伸びるセンターコラム１４が固定され、その上部に貨物倉１２の上部中央まで延びる旋回筒１６が設けられている。貨物倉１２の内部の上部位置には、旋回筒１６と共に旋回して先端が貨物倉１２の内壁面まで延びる旋回フレーム１８が設けられている。
【０００４】
この旋回フレーム１８には、吊下げワイヤ１８ａを介して水平搬送装置２０が吊り下げられている。水平搬送装置２０は、貨物倉１２内の貨物の上面高さに応じて、旋回フレーム１８からの吊下げワイヤ１８ａを巻き上げ又は繰り出し動作によって、上下方向の位置を制御されると共に旋回フレーム１８と共に貨物倉１２内を旋回する。
水平搬送装置２０は、一例として２本の水平スクリュー２１ａが並行に備えられており、旋回筒１６の上方から受け入れた貨物を径方向の外側に向けて搬送し、その過程で貨物を径方向に平均的に散布する。また、水平搬送装置２０は、旋回フレーム１８による旋回動作で貨物を周方向に均一に散布する。さらに、水平搬送装置２０は、貨物を掻き取って径方向の内側に搬送し、センターコラム１４を介して貨物倉１２の中央下部に払い出す。
【０００５】
より具体的には、貨物倉１２内に貨物が投入されると、いずれか一方の水平スクリュー２１ａによって搬送し保管される。一方、貨物を貨物倉１２内から払い出すときには、２本の水平スクリュー２１ａを同時に運転させてセンターコラム１４まで搬送する。
このとき、貨物の性状、例えば粘性、流動性、硬度、粒径などの要因により、搬送する水平スクリュー２１ａに大きな負荷がかかり、搬送効率が低下する問題が生じていた。
特許文献１に開示の運転制御方法は、スクリュー軸のトルク、電流値に基づいて運転制御して、付着性の高い粉粒体がスクリューに堆積付着して搬送効率の低下又は運転不能を防止している。
【先行技術文献】
【特許文献】
【０００６】
【特許文献１】特開２００６−１４３４０６号公報
【発明の概要】
【発明が解決しようとする課題】
【０００７】
貨物倉が設置される場所において、保管される貨物は必ずしも同一種ではなく、異なる種類を保管する場合がある。貨物の性状によっては水平スクリューで掻き出し易いものと、掻き出し難いものがある。一例として、貨物が石膏の仕様の貨物倉にそのまま性状の異なる鉄鋼スラグを適用した場合、石膏に比べて鉄鋼スラグは流動性が悪く（流動性指数：石膏８０、鉄鋼スラグ４９）、石膏の仕様のままでは搬送効率が悪化するだけでなく、スクリュー羽根の摩耗も発生する。
また貨物倉の上部から投入された貨物が内部で堆積していくほど、上方から連続的に投入される貨物の自重で下方は圧縮されるため圧し固まってしまう。そのため、貨物が圧し固まる前の条件のままで貨物の下方部を水平スクリューで掻き出そうとすると、電動機に負荷がかかるばかりでなく、スクリュー羽根の摩耗も発生してしまい、掻き出し搬送する量も少なくなり搬送効率が低下することになる。
【０００８】
また特許文献１によれば、装置の運転中に負荷を計測しているため、運転初期の過負荷に対処することができない。
【０００９】
そこで上記従来技術の問題点に鑑み、本発明は貨物の性状によらずに最適な運転が可能な水平スクリュー式サイロの運転方法を提供することを目的としている。
【課題を解決するための手段】
【００１０】
上記課題を解決するための第１の手段として、本発明は、貨物を収容する内部に筒形の壁面を有する貨物倉と、前記貨物倉の中心に固定配置され、前記貨物が落下することにより前記貨物倉の下方に移動可能に構成されたセンターコラムと、前記貨物倉の内部の上部位置に配置されて前記貨物倉の中心軸を旋回軸として旋回駆動され、先端が前記壁面側に向かって延びる旋回フレームと、前記旋回フレームに吊下げワイヤを介して吊り下げられて前記旋回フレームの旋回動作に従動して旋回移動すると共に、前記吊下げワイヤの巻き上げ又は繰り出し動作によって前記センターコラムのガイドロッドに沿って上下方向に移動し、前記貨物を前記貨物倉の中心部と前記壁面との間で水平方向に搬送して散布又は集荷を行うスクリュー式の水平搬送装置を備え、前記水平搬送装置によって集荷された前記貨物を前記貨物倉の外部に排出する水平スクリュー式サイロの運転方法において、
前記貨物の搬送運転前に、前記水平搬送装置の負荷を検出する工程と、
前記水平搬送装置の負荷の測定値と、予め定めた前記水平搬送装置の負荷の上限値を比較して、前記測定値が前記上限値以上のときに前記水平搬送装置を上昇させる制御を行う工程と、
を有することを特徴とする水平スクリュー式サイロの運転方法を提供することにある。
上記第１の手段によれば、水平スクリュー式サイロの搬送運転の事前に、水平搬送装置の負荷に基づく貨物の性状に応じて、最適な運転条件を調整することができる。これにより最適な搬送運転を行うことができ、特に運転初期の水平スクリューの過剰な負荷を回避できる。
【００１１】
上記課題を解決するための第２の手段として、本発明は、第１の手段において、前記負荷の測定値は、前記水平搬送装置の水平スクリューに設けたトルクセンサにより測定する前記水平スクリューを回転させたときのトルクであることを特徴とする水平スクリュー式サイロの運転方法を提供することにある。
上記第２の手段によれば、水平スクリュー式サイロの搬送運転の事前に、水平スクリューを回転させて貨物表面を切り込んだ際のトルクの測定値に基づく貨物の性状に応じて、最適な運転条件を調整することができる。
【００１２】
上記課題を解決するための第３の手段として、本発明は、第１又は第２の手段において、前記負荷の測定値は、前記水平搬送装置のスクリューフレーム部に取り付けた回転トルクメータにより測定する前記回転トルクメータの圧子を一定速度でねじ込んだ時のトルクの電流値であることを特徴とする水平スクリュー式サイロの運転方法を提供することにある。
上記第３の手段によれば、水平スクリュー式サイロの搬送運転の事前に、水平搬送装置に設置した回転トルクメータの圧子を貨物表面に対して一定の速度でねじ込んだ際のトルクの電流値に基づく貨物の性状に応じて、最適な運転条件を調整することができる。
【００１３】
上記課題を解決するための第４の手段として、本発明は、第１ないし第３のいずれか１の手段において、前記負荷の測定値は、前記水平搬送装置のスクリューフレーム部と前記水平スクリューの間に設けたロードセルにより測定する前記水平スクリューを前記貨物に差し込んだときの荷重値であることを特徴とする水平スクリュー式サイロの運転方法を提供することにある。
上記第４の手段によれば、水平スクリュー式サイロの搬送運転の事前に、水平スクリューを貨物に差し込んだ際の荷重に基づく貨物の性状に応じて、最適な運転条件を調整することができる。
【発明の効果】
【００１４】
本発明によれば、水平スクリュー式サイロの搬送運転の事前に、水平搬送装置の負荷に基づく貨物の性状に応じて、最適な運転条件を調整することができる。これにより最適な搬送運転を行うことができ、特に運転初期の水平スクリューの過剰な負荷を回避できる。また、水平スクリューの原動機の負荷を軽減し、水平スクリューの羽根の摩耗を防止し、掻き出し搬送の効率低下を防止することができる。
【図面の簡単な説明】
【００１５】
【図１】トルクセンサを取り付けた水平搬送装置の平面図である。
【図２】水平スクリュー式サイロの運転方法１のフロー図である。
【図３】回転トルクメータを取り付けた水平搬送装置の平面図である。
【図４】図３のＥ−Ｅ矢視図である。
【図５】水平スクリュー式サイロの運転方法２のフロー図である。
【図６】ロードセルを取り付けた水平搬送装置の平面図である。
【図７】図６のＦ−Ｆ矢視図である。
【図８】水平スクリュー式サイロの運転方法３のフロー図である。
【図９】水平スクリュー式サイロの断面図である。
【発明を実施するための形態】
【００１６】
本発明の水平スクリュー式サイロの運転方法の実施形態を添付の図面を参照しながら、以下詳細に説明する。
【００１７】
［水平スクリュー式サイロの運転方法１］
図１はトルクセンサを取り付けた水平搬送装置の平面図である。図２は水平スクリュー式サイロの運転方法１のフロー図である。
図１に示す水平搬送装置２０は、センターコラム１４の周囲に配置され旋回ローラユニット３０と吊下げワイヤ１８ａとを介して、貨物倉１２内を旋回及び上下移動可能に取り付けられている。水平搬送装置２０は、貨物倉１２内の貨物を貨物倉１２の中心部となるセンターコラム１４と円筒壁面１２ａとの間で水平方向に搬送して散布及び集荷を行うものである。
【００１８】
水平搬送装置２０は、貨物倉１２の中心軸から円筒壁面１２ａに向かって径方向に延びるスクリューフレーム部２２を有している。本実施形態のスクリューフレーム部２２は、旋回ローラユニット３０と一体接合されている。スクリューフレーム部２２は、貨物倉１２内の貨物を水平方向に搬送するための水平搬送装置２０の長手方向に延びてその短手方向に併設されて一対の水平スクリュー２１ａ，２１ｂを支持している。
【００１９】
またスクリューフレーム部２２は、水平スクリュー２１ａ，２１ｂを駆動するための駆動機２３ａ，２３ｂを円筒壁面１２ａ側の端部に備えている。
各水平スクリュー２１ａ，２１ｂは、貨物を貨物倉１２の中心のセンターコラム１４と円筒壁面１２ａとの間で水平方向に搬送し、散布や分散、集荷や収集を行うものである。これらは、相互に逆方向に回転するように駆動機２３ａ，２３ｂにより駆動される。各水平スクリュー２１ａ，２１ｂは、例えば正回転では貨物が円筒壁面１２ａ側に移動し、逆回転では貨物がセンターコラム１４側へ移動するように構成されている。
【００２０】
トルクセンサ４０は、駆動機２３ａ，２３ｂに取り付けて、水平スクリュー２１ａ，２１ｂのトルク（電流値）を検出するセンサである。本実施形態のトルクセンサ４０は、水平スクリュー式サイロの運転操作前の水平スクリュー２１ａ，２１ｂの回転又は逆回転時のトルクを検出している。
【００２１】
制御部５０は、トルクセンサ４０と、旋回フレーム１８の吊下げワイヤ１８ａの駆動部と電気的に接続している。制御部５０は、水平スクリュー２１ａ，２１ｂのトルクＴと高さｈの相関性からトルクの制御値をあらかじめ設定している。そしてトルクセンサ４０からの運転操作前の水平スクリュー２１ａ，２１ｂの回転又は逆回転のトルク測定値を受信して、あらかじめ定めたトルクの制御値の上限値と比較する。その結果、トルクの測定値が上限値以上の場合には、水平スクリュー２１ａ，２１ｂに負荷がかかった状態であると判断し、水平搬送装置２０を上昇させる制御信号を旋回フレーム１８の吊下げワイヤ１８ａの駆動部に送信する制御を行っている。
ついで再度、例えば所定時間経過後など、トルクセンサ４０からの運転操作前の水平スクリュー２１ａ，２１ｂの逆回転のトルク測定値を受信して、あらかじめ定めたトルクの制御値の上限値と比較する。その結果、トルクの測定値が上限値よりも大きい場合には、前述の上昇動作を行う。一方、上限値よりも小さい場合には水平スクリュー２１ａ，２１ｂの負荷が最適であると判断する。
【００２２】
上記構成による水平スクリュー式サイロの運転方法１について以下説明する。本発明の水平スクリュー式サイロの運転方法は、貨物の搬送運転前に、あらかじめ貨物の性状等の要因による水平スクリューの負荷を検出し、その検出値に基づいて運転条件を設定する。
（Ｓ１）貨物の搬送運転前において、制御部５０によってトルクＴ及び積載した貨物から水平スクリューまでの高さｈの相関性に従って、最適な運転が可能なＴとｈの制御値を設定する。
（Ｓ２）Ｓ１と同様に搬送運転前に、水平スクリュー２１ａ，２１ｂを回転又は逆回転させてそのときのトルクをトルクセンサ４０で測定する。
【００２３】
（Ｓ３）トルクの測定値を受信した制御部５０では、測定値とトルクの上限値Ｔｍａｘを比較する（差分を取る）。具体的には測定値（Ｔ）が上限値（Ｔｍａｘ）以上であるか否か判定する。なおトルクの上限値Ｔｍａｘは、事前に定めたトルクの制御値のうちの最大値に設定している。
（Ｓ４）その結果、測定値（Ｔ）が上限値（Ｔｍａｘ）以上の場合には水平スクリュー２１ａ，２１ｂに負荷がかかった状態であると判断し、水平搬送装置２０をΔｈだけ上昇させる制御信号を旋回フレーム１８の吊下げワイヤ１８ａの駆動部に送信する制御を行う。
一方、測定値（Ｔ）が上限値（Ｔｍａｘ）よりも小さい場合にはあらかじめ定めた制御値の範囲内として判断する。
【００２４】
（Ｓ５）所定時間経過後などその後、再度、水平スクリュー２１ａ，２１ｂを回転又は逆回転させてそのときのトルク（電流値）をトルクセンサ４０で測定する。
（Ｓ６）トルクの測定値を受信した制御部５０では、測定値とトルクの上限値Ｔｍａｘを比較する（差分を取る）。具体的には測定値（Ｔ）が上限値（Ｔｍａｘ）以上であるか否か判定する。
（Ｓ７）その結果、測定値（Ｔ）が上限値（Ｔｍａｘ）以上の場合には水平スクリュー２１ａ，２１ｂに負荷がかかった状態であると判断し、水平搬送装置２０をΔｈだけ上昇させる制御信号を旋回フレーム１８の吊下げワイヤ１８ａの駆動部に送信する制御を行う。
一方、測定値（Ｔ）が上限値（Ｔｍａｘ）よりも小さい場合にはあらかじめ定めた制御値の範囲内と判断する。
【００２５】
このようなＳ２〜Ｓ７の操作を繰り返すことにより、測定値（Ｔ）が上限値（Ｔｍａｘ）よりも小さくなるような水平スクリューの高さに調整して、搬送運転の準備が完了する。これにより測定精度が高まり、安定した搬送運転を行うことができる。
このような本発明の水平スクリュー式サイロの運転方法１によれば、貨物の搬送運転前に旋回させずに水平スクリューを回転又は逆回転させて、積載した貨物表面を切り込んだときのトルクを測定することで、貨物の性状を判断している。この方法により求めた測定値による判断をフィードバックすることで水平スクリューのトルクや積載した貨物の上部表面からの高さを調整できるため、貨物の性状に応じた最適な運転条件での作動が可能となる。これにより最適な搬送運転を行うことができ、特に運転初期の水平スクリューの過剰な負荷を回避できる。
【００２６】
［水平スクリュー式サイロの運転方法２］
図３は回転トルクメータを取り付けた水平搬送装置の平面図である。図４は図３のＥ−Ｅ矢視図である。図５は水平スクリュー式サイロの運転方法２のフロー図である。
図３に示す水平搬送装置は、基本構成は図１示す構成と同一であるが、トルクセンサ４０に換えて回転トルクメータ６０を備えている。
回転トルクメータ６０は、スクリューフレーム部２２に取り付けてあり、下部に等間隔に切り込みを設けた圧子６４を備え、上部に圧子を回転させるギヤードモータ６２を備えている。また上端はコイルばねを介してスクリューフレーム部２２の第１支持部２２１に接続し、中心を回転自在（旋回方向）に第２支持部２２２に軸支されている。
【００２７】
このような構成の回転トルクメータ６０は、当初圧子６４を貨物の上部表面に対して一定の速度で垂直にねじ込んでいる（図４（１）参照）。そしてこのときのトルクより電流値を求めている。貨物の性状や、圧子６４が貨物内部に堀り進むにつれて圧子６４に大きな負荷がかかるとメータ本体が（２）に示すように傾斜する。
制御部５０は、回転トルクメータ６０と電気的に接続しており、トルクの電流値を受信している。制御部５０は、電流値Ｉと高さｈの相関性から電流値の制御値をあらかじめ設定している。そして回転トルクメータ６０からの運転操作前の電流値を受信して、あらかじめ定めた電流値の制御値の上限値と比較する。その結果、電流値が上限値以上の場合には、水平スクリュー２１ａ，２１ｂに負荷がかかった状態であると判断し、水平搬送装置２０を上昇させる制御信号を旋回フレーム１８の吊下げワイヤ１８ａの駆動部に送信する制御を行っている。
【００２８】
上記構成による水平スクリュー式サイロの運転方法２について以下説明する。
（Ｓ１１）貨物の搬送運転前において、制御部５０によって電流値Ｉ及び積載した貨物から水平スクリューまでの高さｈの相関性に従って、最適な運転が可能なＩとｈの制御値を設定する。
（Ｓ１２）Ｓ１と同様に搬送運転前に、回転トルクメータ６０を貨物にねじ込んで電流値Ｉを測定する。
【００２９】
（Ｓ１３）回転トルクメータ６０の電流値を受信した制御部５０では、電流値と電流値の上限値Ｉｍａｘを比較する（差分を取る）。具体的には電流値（Ｉ）が上限値（Ｉｍａｘ）以上であるか否か判定する。なお電流値の上限値Ｉｍａｘは、事前に定めた電流値の制御値のうちの最大値に設定している。
（Ｓ１４）その結果、電流値（Ｉ）が上限値（Ｉｍａｘ）以上の場合には水平スクリュー２１ａ，２１ｂに負荷がかかった状態であると判断し、水平搬送装置２０をΔｈだけ上昇させる、又は水平スクリューのトルクをΔＴだけ減少させる制御信号を旋回フレーム１８の吊下げワイヤ１８ａの駆動部に送信する制御を行う。
一方、電流値（Ｉ）が上限値（Ｉｍａｘ）よりも小さい場合にはあらかじめ定めた制御値の範囲内として、搬送運転の準備が完了する。
【００３０】
（Ｓ１５）所定時間経過後などその後、再度、回転トルクメータ６０を貨物にねじ込んで電流値Ｉを測定する。
（Ｓ１６）回転トルクメータ６０の電流値を受信した制御部５０では、電流値と電流値の上限値Ｉｍａｘを比較する（差分を取る）。具体的には電流値（Ｉ）が上限値（Ｉｍａｘ）以上であるか否か判定する。
（Ｓ１７）その結果、電流値（Ｉ）が上限値（Ｉｍａｘ）以上の場合には水平スクリュー２１ａ，２１ｂに負荷がかかった状態であると判断し、水平搬送装置２０をΔｈだけ上昇させる、又は水平スクリューのトルクをΔＴだけ減少させる制御信号を旋回フレーム１８の吊下げワイヤ１８ａの駆動部に送信する制御を行う。
一方、電流値（Ｉ）が上限値（Ｉｍａｘ）よりも小さい場合にはあらかじめ定めた制御値の範囲内と判断する。
【００３１】
このようなＳ１２〜Ｓ１７の操作を繰り返すことにより、電流値（Ｉ）が上限値（Ｉｍａｘ）よりも小さくなるような水平スクリューの高さとトルクに調整して、搬送運転の準備が完了する。これにより測定精度が高まり、安定した搬送運転を行うことができる。
このような本発明の水平スクリュー式サイロの運転方法２によれば、水平スクリュー式サイロの搬送運転の事前に、水平搬送装置に設置した回転トルクメータの圧子を貨物表面に対して一定の速度でねじ込んだ際のトルクの電流値に基づく貨物の性状に応じて、最適な運転条件を調整することができる。
また回転トルクメータの設置数を増やすことにより測定精度が高まり安定運転を行うことができる。
なお水平搬送装置にトルクセンサ４０及び回転トルクメータ６０を取り付けた構成で、各測定値を制御部５０に送信する構成としても良い。この場合、制御部は、トルク（Ｔ）と電流値（Ｉ）の制御値と、実測値に基づいて制御する。
【００３２】
［水平スクリュー式サイロの運転方法３］
図６はロードセルを取り付けた水平搬送装置の平面図である。図７は図６のＦ−Ｆ矢視図である。図８は水平スクリュー式サイロの運転方法３のフロー図である。
図６に示す水平搬送装置は、基本構成は図１示す構成と同一であるが、トルクセンサ４０に換えてロードセル７０を備えている。
ロードセル７０は、水平搬送装置２０の水平スクリュー２１ａ，２１ｂを軸支するスクリューフレーム部２２の支持部２２４に取り付けている（各水平スクリュー２１ａ，２１ｂの両端にそれぞれ２箇所）。このような構成のロードセル７０は、水平スクリュー２１ａ，２１ｂを貨物に差し込んだ際の自重又は回転している間の荷重（Ｗ）（反力（上向き））、換言すると水平スクリュー２１ａ，２１ｂの負荷を検出することができる。なおロードセルの設置数は、必要とする測定精度に応じて任意に変更できる。また、ロードセルの取付け箇所は、この他にも回転トルクメータ６０を取り付けた箇所を基点としてスクリューフレーム部２２を間に挟んだ対向する箇所に挟むように（スクリューフレーム部２２の両端）２箇所取り付ける構成としても良い。
【００３３】
制御部５０は、ロードセル７０と電気的に接続しており、水平スクリューの荷重値を受信している。制御部５０は、荷重値Ｗと高さｈの相関性から荷重値の制御値をあらかじめ設定している。そしてロードセル７０からの運転操作前の荷重値を受信して、あらかじめ定めた荷重値の制御値の上限値と比較する。その結果、荷重値が上限値以上の場合には、水平スクリュー２１ａ，２１ｂに負荷がかかった状態であると判断し、水平搬送装置２０を上昇させる制御信号を旋回フレーム１８の吊下げワイヤ１８ａの駆動部に送信する制御を行っている。
【００３４】
上記構成による水平スクリュー式サイロの運転方法３について以下説明する。
（Ｓ２１）貨物の搬送運転前において、制御部５０によって荷重値Ｗ及び積載した貨物から水平スクリューまでの高さｈの相関性に従って、最適な運転が可能なＷとｈの制御値を設定する。
（Ｓ２２）Ｓ１と同様に搬送運転前に、水平スクリュー２１ａ，２１ｂを貨物に差し込んで荷重値Ｗを測定する。
【００３５】
（Ｓ２３）ロードセル７０の測定値を受信した制御部５０では、荷重値と荷重値の上限値Ｗｍａｘを比較する（差分を取る）。具体的には荷重値（Ｗ）が上限値（Ｗｍａｘ）以上であるか否か判定する。なお荷重値の上限値Ｗｍａｘは、事前に定めた荷重値の制御値のうちの最大値に設定している。
（Ｓ２４）その結果、荷重値（Ｗ）が上限値（Ｗｍａｘ）以上の場合には水平スクリュー２１ａ，２１ｂに負荷がかかった状態であると判断し、水平搬送装置２０をΔｈだけ上昇させる制御信号を旋回フレーム１８の吊下げワイヤ１８ａの駆動部に送信する制御を行う。
一方、荷重値（Ｗ）が上限値（Ｗｍａｘ）よりも小さい場合にはあらかじめ定めた制御値の範囲内として、搬送運転の準備が完了する。
【００３６】
（Ｓ２５）所定時間経過後などその後、再度、水平スクリュー２１ａ，２１ｂを貨物に差し込んで荷重値Ｗを測定する。
（Ｓ２６）ロードセル７０の測定値を受信した制御部５０では、荷重値と荷重値の上限値Ｗｍａｘを比較する（差分を取る）。具体的には荷重値（Ｗ）が上限値（Ｗｍａｘ）以上であるか否か判定する。
（Ｓ２７）その結果、荷重値（Ｗ）が上限値（Ｗｍａｘ）以上の場合には水平スクリュー２１ａ，２１ｂに負荷がかかった状態であると判断し、水平搬送装置２０をΔｈだけ上昇させる制御信号を旋回フレーム１８の吊下げワイヤ１８ａの駆動部に送信する制御を行う。
一方、荷重値（Ｗ）が上限値（Ｗｍａｘ）よりも小さい場合にはあらかじめ定めた制御値の範囲内と判断する。
【００３７】
このようなＳ２２〜Ｓ２７の操作を繰り返すことにより、すなわち水平スクリューを貨物に抜き差しする操作を繰り返して荷重を測定し、荷重値（Ｗ）が上限値（Ｗｍａｘ）よりも小さくなるような水平スクリューの高さに調整して、搬送運転の準備が完了する。これにより測定精度が高まり、安定した搬送運転を行うことができる。
なおロードセルを適用した場合、搬送運転中であっても制御することができる。すなわち搬送運転中、貨物の性状（例えば、貨物の自重により下方が圧し固まった状態など）に応じて水平スクリュー２１ａ，２１ｂの切り込み量を調整する。荷重が大きいときには水平スクリュー２１ａ，２１ｂをΔｈ上昇させる。一方、荷重が小さいときにはそのまま搬送運転を続行する。
上記ロードセルに換えてストロークセンサ（赤外線レーザ、接触、超音波、共焦点方式など）を適用して同様に測定する構成を採用しても良い。このうち例えば接触式のストロークセンサを用いる場合には、水平スクリューを貨物に差し込んだときの距離から貨物の硬さの程度を求めることができる。このため、得られた測定値から貨物の性状を想定し、フィードバックして貨物の性状に応じた最適な運転条件での作動が可能となる。
【００３８】
このような本発明の水平スクリュー式サイロの運転方法３によれば、貨物の搬送運転前に旋回させずに水平スクリューを貨物に自重で差し込んだ際、又は貨物の搬送運転中に水平スクリューを回転させた際の荷重を計測して、得られた荷重値をフィードバックして、水平スクリューの貨物の上部表面からの高さを調整できるため、貨物の性状に応じた最適な運転条件での作動が可能となる。
【００３９】
本発明の水平スクリュー式サイロの運転方法１，２は搬送運転前又は運転の合間（一時停止中など）に測定することができる。従ってあらかじめ貨物の性状に合わせて運転制御することができる。
また運転方法３は、搬送運転前又は運転の合間に加えて、搬送運転時にも測定することができる。このため、運転中に貨物倉内の貨物の性状変化（例えば、貨物倉の上部又は下部で圧し付けによって生じる硬さの違いなど）に対応することができる。
以上、本発明の好ましい実施形態について説明した。しかしながら、本発明は、上記実施形態に何ら制限されることなく、本発明の主旨を逸脱しない範囲において、種々の変更が可能である。
また、本発明は、実施形態において示された組み合わせに限定されることなく、種々の組み合わせによって実施可能である。
【符号の説明】
【００４０】
１………水平スクリュー式サイロ、１２………貨物倉、１４………センターコラム、１４ａ，１４ｂ………ガイドロッド、１６………旋回筒、１８………旋回フレーム、１８ａ………吊下げワイヤ、２０………水平搬送装置、２１ａ，２１ｂ………水平スクリュー、２２………スクリューフレーム部、２３ａ，２３ｂ………駆動機、３０………旋回ローラユニット、３２………内リング、３４………外リング、３６………第１ローラ、３７………第２ローラ、３８………第３ローラ、４０………トルクセンサ、５０………制御部、６０………回転トルクメータ、６２………ギヤードモータ、６４………圧子、７０………ロードセル。
【図１】
2019156633.tif 000003
【図２】
2019156633.tif 000004
【図３】
2019156633.tif 000005
【図４】
2019156633.tif 000006
【図５】
2019156633.tif 000007
【図６】
2019156633.tif 000008
【図７】
2019156633.tif 000009
【図８】
2019156633.tif 000010
【図９】
2019156633.tif 000011